(57)【要約】【課題】従来の技術では、集魚効果を得るのに、大量の誘い餌によって水質が汚染されたり、釣り糸に大きな餌籠や複数の仕掛けを必要とするために、魚が警戒心を持ちやすい上、それらが水中で絡みやすいという難点があった。 【解決手段】本発明によれば、錘本体を開閉し、内部に餌や錘を収納可能で、本体側面に形成された貫通孔より餌の臭いを出すことで集魚効果を高めるとともに、かつ釣り糸を通すストロー状の筒を内部に設置することにより、竿先や使用者に魚の当たりが直接伝達され、仕掛けがシンプルで魚の警戒心を少なくし、大量の餌を必要としない環境親和的な錘が提供される。【選択図】  図４
2011125295.tif 000002
【特許請求の範囲】
【請求項１】
本体を開閉して内部に誘い餌や錘を収納でき、複数の貫通孔のある錘で、本体中心にストロー状の筒を設け、釣り糸用の中通し部を形成することにより、針先の魚の当たりが直接伝達されることを特徴とする錘。
【発明の詳細な説明】
【技術分野】
【０００１】
本発明は、本体に複数の貫通孔を有し、その内部に集魚剤や誘い餌等を入れることのできる錘に関する。
【背景技術】
【０００２】
従来、魚釣りの針の周りに魚が集まるよう、誘い餌を針周辺に投げて撒いたり、餌を付けた針先の近くに誘い餌を籠に入れて魚を寄せていた。（例えば、特許文献１参照。） 
【０００３】
また、誘い餌を取り付けるための穴の開いた錘が提案された事がある。(特許文献２参照。)
【０００４】
上記の特許文献２の穴の開いた錘は、錘に餌を取り付けることのできる凹部や溝を設ける構成を採用している。
【先行技術文献】
【特許文献】
【０００５】
【特許文献１】特開１９９６−１６３９４３号  公報
【特許文献１】特開２００６−２０５０４号  公報
【発明の概要】
【発明が解決しようとする課題】
【０００６】
ところが、従来の誘い餌を投げて水中にまく方法は、大量の誘い餌を必要とするために、水質汚染の原因になっていた。 又、水の流れが速いところでは、誘い餌が針先周辺に留まらない問題があった。
【０００７】
また、特許文献１の誘い餌を入れた籠の類も同様で、従来の釣り用籠には籠の間から誘い餌がすぐに出やすく、針先周辺に長く留まらないために大量の誘い餌を必要としていた。そして、ほとんどの籠の大きさが、通常の錘よりはるかに大きいため、集魚時に魚の警戒心を高める要因になっていた。
【０００８】
また、従来では籠の他に、錘などの複数の釣り道具を取り付ける必要があり、複雑な仕掛けで、しかもそれらが水中で絡まりやすいという問題点があった。
【０００９】
さらに、従来の籠では、餌を付けた針先に魚の当たりがあっても、竿先や使用者の手元には、魚の当たりが籠を通して間接的に伝わるため、魚の当たりの感度が低くなるという難点があった。
【００１０】
一方、特許文献２のような誘い餌を取り付けるための凹部をもつ錘は、錘のみで集魚機能をもつというメリットがあるが、誘い餌を取り付ける面が限られているため誘い餌をすぐに補充しなければならないことと、水中で誘い餌が流されてしまうという難点があった。
【００１１】
したがって本発明の目的は、内部を開閉して本体に誘い餌を収納でき、複数の貫通孔のある錘で、かつ魚の当たりの感度が良いという特徴を持つ錘に関するものである。
【課題を解決するための手段】
【００１２】
本発明によれば、本体に誘い餌を収容する空洞と、その内部を開閉することのできる蓋または構造を備え、中心には本体上部から下部に渡るストロー状でなる糸通し部を形成したもので、本体側面に複数の貫通孔を有する錘が提供される。
【発明の効果】
【００１３】
本発明の錘により、誘い餌を錘に収容することで、集魚用の餌入れを兼用した錘を提供することができる。
【００１４】
また本発明により、本体内部に入れた誘い餌は流されにくく、複数の貫通孔から出る臭いによって集魚するため、針先の周辺に誘い餌を留まらせることができ、近年取り組みが活発となっている水質汚染を最小限に抑えることが可能になり環境問題にも効果的である。
【００１５】
本発明により、本体中心に糸通し部を形成することで、誘い餌を内部に収納しても魚の当たりが竿先や手元に直接伝達され、当たりの感度が高くなる効果が得られる。
【００１６】
さらに、本発明により、さまざまな種類の誘い餌を本体内部に入れることのできる構造をなす錘を提供することができる。
【００１７】
また、本発明は、シンプルな餌収納型の錘のみで集魚できることによって、魚の警戒心を極力小さくし、魚の食い付きを良くする効果も得られる。
【００１８】
さらに、本体内部に、誘い餌だけでなく小さい錘を入れることで錘の量を自在に調節し、仕掛けを換えるなどの大掛かりな作業を必要としないで、遠投に適した錘としても使用することができる。
【図面の簡単な説明】
【００１９】
【図１】本発明の実施形態を示す丸型錘と釣り糸の正面図。
【図２】図１の丸型錘の本体上部と下部を開いた上面図。
【図３】図１の丸型錘の一部切欠部と釣り糸の断面図。
【図４】図１の丸型錘を開いた錘と釣り糸の斜視図。
【図５】本発明の他の実施形態を示す四角型錘と釣り糸の正面図。
【図６】図５の四角型錘の蓋を開いた展開図。
【図７】図５の四角型錘の一部切欠部と釣り糸の断面図。
【発明を実施するための形態】
【００２０】
以下、本発明の実施形態を図１〜図７に基づいて説明する。
【００２１】
まず、丸型錘の実施例では、本発明の本体上部１と本体下部２は、図１の外部から見られるように、複数の貫通孔３を形成し、貫通孔３の大きさは自在だが、誘い餌が錘内部に長く留まるよう、大きくても直径３ミリ以下が好ましい。
【００２２】
本体上部１から本体下部２にかけて釣り糸４が通せる丸型錘とし、錘本体の材料は鉛やタングステンなど水中に沈めることのできる高比重物質を混ぜ合わせた材料であり、かつ本体の大きさは大小様々であるものとする。
【００２３】
本体上部1に取り付けた５の蓋部には、本体下部の凸部６の大きさに合うように穴をあけており、開閉できる仕組みとし、蓋の部分となるこの５と６は、錘と同様の材料または、それに変わるプラスチックやステンレス他多様な材料で形成可能である。 
【００２４】
本体上部１と本体下部２の側面には、小型の蝶番７を取り付け、開閉できるよう形成し、ネジで固定または、蝶番８の部分を錘の内部に練りこむなどして外れないように固定する。蝶番の材料は、錘の大きさに合わせて、金具やプラスチック他多様な材料で形成可能である。
【００２５】
また錘の内部には、釣り糸をスムーズに通せるよう、図３のように本体下部２の底部から、ストロー状の筒９を、本体上部の天井１０の位置まで設置し、さらに本体上部1の天井は筒９と同じ直径の貫通孔をあける。
【００２６】
このストロー状の筒の材料は、ステンレスやある程度強度のあるプラスチックなど変形しにくい多様の材料を設置可能とし、本体錘の設置面に接着するなどして固定する。
【００２７】
図４は、本体上部1と、本体下部２を開いた様子で、ストロー状の筒９を囲むようにして空洞部に誘い餌や錘を収容できるよう形成するものとする。
【００２８】
丸型錘の実施例は一例であり、ここに提案した蓋部の仕組みは、片手で容易に開閉でき、釣り時の煩わしさが最も少なくこの形態が好ましいが、開閉方法については上記実施形態に限らず、蓋部を他の形状としたり、本体が蓋部のない上部キャップと下部キャップを留め合わせるような開閉可能な形態や、本体自体が回転ネジ式に開閉可能な形態の丸型錘などに応用できるものである。
【００２９】
次に、四角型錘の実施形態を図５〜図７について説明する。
【００３０】
まず、図５は四角型錘の本体１１であり、丸型錘同様に本体側面に複数の貫通孔３を形成するものとし、貫通孔３の大きさは自在だが、誘い餌が錘内部に長く留まるよう、大きくても直径３ミリ以下が好ましい。
【００３１】
さらに、本体11の上部から下部にかけて釣り糸４が通せる錘とし、その形は四角型から応用して円錐型や魚や餌擬など様々に加工し、錘本体の材料は鉛やタングステンなど水中に沈めることのできる高比重物質を混ぜ合わせた材料であり、かつ本体の大きさは大小様々であるものとする。
【００３２】
本体１１の側面には、蓋１２を取り付け、丸型錘の実施例と同様に、左側には蓋を開閉できるよう蓋部５に合わせて６の凸部を形成し、右側には蝶番７を取り付け固定する。
【００３３】
蝶番７の固定部８は、蓋１２と本体１１にそれぞれネジで止める他、接着または内部に練りこむなどして外れないように固定する。
【００３４】
蓋部13と蓋本体１２、蝶番7及び蝶番固定部８の材料としては、錘本体と同様か、それに代わる金属、プラスチックまたはステンレス他多様の材料を用いる。
【００３５】
また、上記の四角型錘の実施例で提案した蓋部の形状は、釣り時に片手で蓋部を開閉できる仕組みとして好ましいが、この形状に限らず、他の蓋の形状に応用可能なものである。
【００３６】
また、図６は、本体１１の断面図であり、中心には釣り糸を通すために、本体１１の上部から下部にかけて貫通するようにストロー状の筒１３を設置する。
【００３７】
このように本体中心に構成された筒は、収容された餌に邪魔されることなく釣り糸４をスムーズに通し、水中では本体錘が釣り糸と接触することがないので、針先の魚の当たりが竿先や使用者の手元に直接伝達することが可能になる。
【００３８】
さらに図７のように、蓋１２を開き、本体内部に誘い餌や錘などを収容する空洞を構成することで、錘のみで誘い餌を収容する籠の役目をもち、仕掛けがシンプルで、かつ糸が絡みにくくなる。
【００３９】
また、餌のみでなく、本体内部に錘を入れることで、釣具の仕掛けを取り替える煩わしさを省きながら錘の重さを容易に変えることができ、浮きの高さ調節や、遠投時の飛距離を伸ばすことが可能になる役目も果たす。
【００４０】
一方、本体内部に収容された誘い餌は、本体側面に形成された複数の貫通孔３を介して水に希釈された臭いによって集魚効果を得られる役目をする。
【符号の説明】
【００４１】
１    丸型錘の本体上部
２    丸型錘の本体下部
３    貫通孔
４    釣り糸
５    穴あき蓋部
６    凸部
７    蝶番本体
８    蝶番の取り付け面
９    ストロー状の筒
１０    本体上部１の天井部
１１    四角型錘の本体
１２    蓋
１３    ストロー状の筒
【図１】
2011125295.tif 000003
【図２】
2011125295.tif 000004
【図３】
2011125295.tif 000005
【図４】
2011125295.tif 000006
【図５】
2011125295.tif 000007
【図６】
2011125295.tif 000008
【図７】
2011125295.tif 000009